(57)【要約】【課題】ディスク装置において、光ディスクの種類やデータの記録位置における記録特性に関わらず、スムーズに再生されるデータを記録することができるようにする。【解決手段】ディスク装置１は、光ディスク２にレーザ光を照射する光ピックアップ４と、ジッターを検出するジッター検出部６と、スムーズに再生されるデータを記録することができる基準記録パワーＳを決定する調整手段７と、最適な記録パワーＰの範囲をパワー範囲Ｗとして検出するパワー範囲検出手段１０とを備える。光ピックアップ４がデータの記録を開始すると、調整手段７は、パワー範囲Ｗとジッター検出部６によって検出されたジッターに基づいて基準記録パワーＳを決定する。ディスク装置１は、光ピックアップ４に基準記録パワーＳでデータを記録させることにより、光ディスク２の種類やデータの記録位置における記録特性に関わらずスムーズに再生されるデータを記録することができる。【選択図】図１
2008300024.tif 000002
【特許請求の範囲】
【請求項１】
光ディスクにデータを記録再生するためにレーザ光を照射する記録再生部と、前記記録再生部がデータを記録するときに照射するレーザ光の記録パワーを調整する調整手段と、を備え、データを記録する前に光ディスクのテスト領域にレーザ光の記録パワーを変化させながら記録したテストデータを再生することによって、記録パワーを調整するＯＰＣ（Ｏｐｔｉｍｕｍ  Ｐｏｗｅｒ  Ｃｏｎｔｒｏｌ）処理を実行し、前記光ディスクにデータを記録しているときに記録パワーを変化させながら記録したデータを再生することによって、記録パワーを調整するランニングＯＰＣ処理を実行するディスク装置において、
前記光ディスクに記録されたデータが前記記録再生部によって再生されたとき、レーザ光が光ディスクによって反射させられた反射光からＲＦ（Ｒａｄｉｏ  Ｆｒｅｑｕｅｎｃｙ）信号を検出するＲＦ信号検出部と、
前記ＲＦ信号からジッターを検出するジッター検出部と、
前記記録再生部によってデータが記録される前にＯＰＣ処理を実行し、前記記録再生部によってデータの記録が開始されるとランニングＯＰＣ処理を実行する制御部と、
前記制御部によってランニングＯＰＣが実行されると、前記調整手段によって変化させられた記録パワーとジッターとを関連付けて記憶する記憶部と、を備え、
前記調整手段は、前記制御部によってランニングＯＰＣが実行されると、前記記憶部に記憶されている最も値の小さいジッターと関連付けて記憶されている記録パワーを基準記録パワーとして決定し、
前記記録再生部は、前記基準記録パワーでデータを記録することを特徴とするディスク装置。
【請求項２】
前記制御部によってＯＰＣ処理が実行されたとき、ジッターが予め定められた閾値より小さくなるテストデータを記録することができる記録パワーの範囲をパワー範囲として検出するパワー範囲検出手段を備え、
前記調整手段は、前記制御部によってランニングＯＰＣが実行されると、前記パワー範囲内で記録パワーを変化させることより、前記基準記録パワーを決定することを特徴とする請求項１に記載のディスク装置。
【請求項３】
前記パワー範囲検出手段は、前記パワー範囲の最大値である最大記録パワーと、該パワー範囲の最小値である最小記録パワーとの差を所定値で等分した値を変化量として算出し、
前記調整手段は、
ＯＰＣ処理において決定した記録パワーをＯＰＣ記録パワーとし、
前記制御部によってランニングＯＰＣが実行される場合において、
前記基準パワーが決定されていないとき、前記パワー範囲内で前記ＯＰＣ記録パワーを段階的に前記変化量ずつ増減させることによって前記基準記録パワーを決定し、
前記基準パワーが決定されているとき、前記パワー範囲内で前記基準記録パワーを段階的に前記変化量ずつ増減させることによって新たに該基準記録パワーを決定することを特徴とする請求項２に記載のディスク装置。
【発明の詳細な説明】
【技術分野】
【０００１】
本発明は、光ディスクに対してレーザ光を照射することによりデータを記録するディスク装置に関する。
【背景技術】
【０００２】
ＣＤ−ＲやＤＶＤなどの光ディスクにデータを記録するディスク装置においては、光ディスクにレーザ光を照射してピットを形成することによりデータを記録する。記録されたデータの再生は、ディスク装置がピットに照射したレーザ光の反射光を受光部が受光することによって行われる。ディスク装置は、良好に再生されるデータを記録するために、ピット形成に適した記録パワーでレーザ光を照射する必要がある。そこで、ディスク装置は、データの記録前にＯＰＣ処理を実行するによって最適な記録パワーを決定し、この決定した記録パワーでレーザ光を照射する。
【０００３】
光ディスクは、その形成過程の制限から、中心穴の位置が中心からわずかにずれた光ディスクやディスク盤面が反っている光ディスクが存在する。このため、ディスク装置が、ＯＰＣによって決定した記録パワーでレーザ光を照射しても、例えば、光ディスクの内周側においては、良好に再生されるデータを記録することができるが、外周側においては、良好に再生されるデータを記録できないことがある。そこで、データの記録中に記録したデータを再生することによって、ＯＰＣ処理において決定された記録パワーよりさらに最適な記録パワーを決定するランニングＯＰＣ処理が知られている。しかし、ランニングＯＰＣ処理において、記録パワーは、データ再生時の時間的な揺らぎを示すジッターに基づいて決定されないため、ディスク装置は、ランニングＯＰＣ処理によって決定された記録パワーであっても良好に再生されるデータを記録できないことがあった。
【０００４】
そこで、テスト領域に記録されたデータの再生品質を検出する検出手段が、予め定められた複数の閾値の範囲内に該当する再生品質を複数検出したとき、いずれかの閾値に基づいて記録パワーを決定する手段が知られている（例えば、特許文献１参照）。また、ＯＰＣ処理によって決定された記録パワーを複数記憶し、記憶している複数の記録パワーからジッターが最も小さくなる記録パワーでデータを記録する手段が知られている（例えば、特許文献２参照）。
【０００５】
しかしながら、特許文献１に示される技術においては、テスト領域に記録されたデータに基づいて記録パワーが決定されるため、実際にデータが記録されるデータ領域において最適な記録パワーを得ることができなかった。また、特許文献２に示される技術においては、ジッターに基づいて記録パワーが決定されるが、ランニングＯＰＣ処理を実行することによって記録パワーが決定されないため、データが記録される位置における最適な記録パワーを得ることができなかった。
【特許文献１】特開２００６−３０２４３９号公報
【特許文献２】特開２０００−１８２２４５号公報
【発明の開示】
【発明が解決しようとする課題】
【０００６】
本発明は、上記の問題を解決するためになされたものであり、光ディスクにレーザ光を照射することによりデータを記録するディスク装置において、光ディスク上のデータが記録される位置に適した記録パワーでデータを記録することができるディスク装置を提供することを目的とする。
【課題を解決するための手段】
【０００７】
上記目的を達成するために請求項１の発明は、光ディスクにデータを記録再生するためにレーザ光を照射する記録再生部と、記録再生部がデータを記録するときに照射するレーザ光の記録パワーを調整する調整手段と、を備え、データを記録する前に光ディスクのテスト領域にレーザ光の記録パワーを変化させながら記録したテストデータを再生することによって、記録パワーを調整するＯＰＣ処理を実行し、光ディスクにデータを記録しているときに記録パワーを変化させながら記録したデータを再生することによって、記録パワーを調整するランニングＯＰＣ処理を実行するディスク装置において、光ディスクに記録されたデータが記録再生部によって再生されたとき、レーザ光が光ディスクによって反射させられた反射光からＲＦ信号を検出するＲＦ信号検出部と、ＲＦ信号からジッターを検出するジッター検出部と、記録再生部によってデータが記録される前にＯＰＣ処理を実行し、記録再生部によってデータの記録が開始されるとランニングＯＰＣ処理を実行する制御部と、制御部によってランニングＯＰＣが実行されると、調整手段によって変化させられた記録パワーとジッターとを関連付けて記憶する記憶部と、を備え、調整手段は、制御部によってランニングＯＰＣが実行されると、記憶部に記憶されている最も値の小さいジッターと関連付けて記憶されている記録パワーを基準記録パワーとして決定し、記録再生部は、基準記録パワーでデータを記録するようにしたものである。
【０００８】
また、請求項２の発明は、請求項１のディスク装置において、制御部によってＯＰＣ処理が実行されたとき、ジッターが予め定められた閾値より小さくなるテストデータを記録することができる記録パワーの範囲をパワー範囲として検出するパワー範囲検出手段を備え、調整手段は、制御部によってランニングＯＰＣが実行されると、パワー範囲内で記録パワーを変化させることより、基準記録パワーを決定するようにしたものである。
【０００９】
また、請求項３の発明は、請求項２のディスク装置において、パワー範囲検出手段は、パワー範囲の最大値である最大記録パワーと、パワー範囲の最小値である最小記録パワーとの差を所定値で等分した値を変化量として算出し、調整手段は、ＯＰＣ処理において決定した記録パワーをＯＰＣ記録パワーとし、制御部によってランニングＯＰＣが実行される場合において、基準パワーが決定されていないとき、パワー範囲内でＯＰＣ記録パワーを段階的に変化量ずつ増減させることによって基準記録パワーを決定し、基準パワーが決定されているとき、パワー範囲内で基準記録パワーを段階的に変化量ずつ増減させることによって新たに基準記録パワーを決定するようにしたものである。
【発明の効果】
【００１０】
請求項１の発明によれば、調整手段は、記憶部に記憶された記録パワーの中から、最も値の小さいジッターと関連付けられている記録パワーを基準記録パワーとして決定する。記録再生部は、調整手段によって決定された基準記録パワーでデータを記録する。これにより、ディスク装置は、光ディスクの記録特性に関わらず、良好に再生されるデータを記録することができる。
【００１１】
請求項２の発明によれば、パワー範囲検出手段は、制御部によってＯＰＣ処理が実行されるとき、ジッターに基づいて光ディスクの種類に適した記録パワーのパワー範囲を検出する。調整手段は、制御部によってランニングＯＰＣ処理が実行されるとき、パワー範囲内で記録パワーを変化させることによって、データが記録される光ディスク上の位置に適した基準記録パワーを決定する。これにより、ディスク装置は、光ディスクの種類と光ディスク上の位置に適した記録パワーでデータを記録することができる。
【００１２】
請求項３の発明によれば、調整手段は、制御部によってランニングＯＰＣ処理が実行される毎に、記録パワーを段階的に所定の変化量ずつ増減させることによって、新たに基準記録パワーを決定する。これにより、ディスク装置は、光ディスク上のデータが記録される位置において最適な記録パワーを迅速に得ることができる。
【発明を実施するための最良の形態】
【００１３】
以下、本発明の実施形態に係るディスク装置について、図面を参照して説明する。図１は、本実施形態に係るディスク装置の概略構成を示す。ディスク装置１は、光ディスク２を回転させるスピンドルモータ３と、光ディスク２にレーザ光を照射する光ピックアップ４（記録再生部）と、光ディスク２によって反射した反射光からＲＦ信号を検出するＲＦ信号検出部５と、ＲＦ信号からジッターを検出するジッター検出部６と、光ピックアップ４がデータを記録するときに照射するレーザ光の記録パワーを決定する調整手段７と、装置全体を制御し、光ピックアップ４及び調整手段７を制御することによってＯＰＣ処理、またはランニングＯＰＣ処理を実行する制御部８とを備える。ここで、光ディスク２とは、例えば、ＣＤ±ＲＷやＤＶＤ±ＲＷである。
【００１４】
光ピックアップ４は、制御部８からの命令を受けて光ディスク２にレーザ光を照射する半導体レーザ４ａと、半導体レーザ４ａから照射されたレーザ光を透過させるビームスプリッタ４ｂと、ビームスプリッタ４ｂを透過したレーザ光を光ディスク２上に集光させる対物レンズ４ｃと、ビームスプリッタ４ｂによって方向を変えられた光ディスク２からの反射光を受光し、ＲＦ信号検出部５に信号を出力するフォトディテクタ４ｄとを備える。
【００１５】
光ディスク２に記録されたデータの再生は、ＲＦ信号検出部５がフォトディテクタ４ｄによって出力された信号からＲＦ信号を検出することにより行われる。光ディスク２に記録されたデータが良好に再生されているか否かは、データ再生時の時間的な揺らぎを示すジッターに基づいて判断することができる。ジッターが大きいことは、ディスク装置１がデータをスムーズに再生できていないことを示す。そこで、光ピックアップ４は、データの再生エラーが発生することなくスムーズに再生されるデータを記録するため、光ディスク２の記録特性に応じた最適な記録パワーでレーザ光を照射する。
【００１６】
制御部８は、ジッター検出部６が検出したジッターと光ピックアップ４が照射したレーザ光の記録パワーとを関連付けて記憶する記憶部９と、ＯＰＣ処理を実行したときに、ジッターが予め定められた閾値より小さくなるテストデータを記録した記録パワーの範囲をパワー範囲として検出するパワー範囲検出手段１０とを備える。ここで、ＯＰＣ処理とは、光ディスク２上に用意されたテスト領域に記録パワーを変化させながらテストデータを書き込み、この書き込まれたテストデータを再生することによって、データを記録するのに最適な記録パワーを決定する方法である。制御部８は、光ピックアップ４がデータを光ディスク２に記録する前に、ＯＰＣ処理を実行する。
【００１７】
記憶部９は、制御部８によってランニングＯＰＣ処理が実行されると、光ピックアップ４が実際にデータを記録したときの記録パワーと、この記録パワーで記録されたデータが再生されたときのジッターとを関連付けて記憶する。ここで、ランニングＯＰＣ処理とは、光ディスク２上に記録パワーを変化させながら実際のデータを書き込み、この書き込まれたデータを再生することによって、実際にデータが記録される光ディスク２上の位置において最適な記録パワーを決定する方法である。ランニングＯＰＣ処理によって決定された最適な記録パワーを基準記録パワーとする。
【００１８】
制御部８によってＯＰＣ処理が実行されたとき、ジッター検出部６は、異なる記録パワーで記録されたテストデータについてジッターを検出する。パワー範囲検出手段１０は、検出されたジッターが予め定められた閾値より小さくなるテストデータを記録した記録パワーの範囲をパワー範囲として検出する。パワー範囲検出手段１０によってパワー範囲が検出されると、調整手段７は、パワー範囲内であって、最もジッターが小さくなる記録パワーをＯＰＣ記録パワーとして決定する。光ピックアップ４は、ＯＰＣ記録パワーで光ディスク２上にデータを記録する。
【００１９】
次に、ＯＰＣ記録パワーについて説明する。図２は、ＯＰＣ処理における記録パワーＰの変化とジッターとの関係を示す。図２において、縦軸は、テストデータが再生されたときのジッターを示し、横軸はＯＰＣ処理における記録パワーＰの大きさを示す。ここで、実線は、ジッターについて予め定められた閾値Ｌを示す。ＯＰＣ処理が実行されると、光ピックアップ４は、記録パワーＰを変化させながらテストデータを記録し、記録したテストデータを再生する。ジッター検出部６は、再生されたテストデータについてジッターを検出する。パワー範囲検出手段１０は、ジッターが閾値Ｌより小さくなるテストデータを記録した記録パワーＰの範囲をパワー範囲Ｗとして検出する。ここで、パワー範囲Ｗ内であって、最も値の小さい記録パワーＰを最小記録パワーＡとし、最も値の大きい記録パワーＰを最大記録パワーＢとする。図２において、最小記録パワーＡは１０ｍＷであり、最大記録パワーＢは１５ｍＷである。
【００２０】
また、パワー範囲検出手段１０は、最大記録パワーＢと最小記録パワーＡとの差を所定値で等分した値を変化量として算出する。ここで、所定値とは、例えば、５とする。図２において、パワー範囲検出手段１０は、最大記録パワーＢと最小記録パワーＡとの差である５ｍＷを５等分した１ｍＷを変化量ΔＰとして算出する。変化量ΔＰは、ランニングＯＰＣ処理において、調整手段７が記録パワーＰを段階的に増減させる基準として用いられる。次に、調整手段７は、パワー範囲Ｗ内であって、最もジッターが小さい記録パワーＰをＯＰＣ記録パワーＣとして決定する。図２において、ＯＰＣ記録パワーＣは、１２．５ｍＷである。光ピックアップ４は、ＯＰＣ記録パワーＣである１２．５ｍＷで実際にデータを光ディスク２に記録し始める。
【００２１】
次に、ランニングＯＰＣ処理において、調整手段７が決定する基準記録パワーについて説明する。図３は、ランニングＯＰＣ処理における記録パワーＰの変化を示す。図３（ａ）は、ランニングＯＰＣ処理において光ピックアップ４が照射する記録パワーＰの値と回数を示し、図３（ｂ）は、ランニングＯＰＣ処理における記録パワーＰの変化とジッターとの関係を示す。制御部８によってランニングＯＰＣ処理が実行されると、調整手段７は、パワー範囲Ｗ内でＯＰＣ記録パワーＣを段階的に変化量ΔＰずつ増減させることによって、光ピックアップ４に照射させる記録パワーＰを複数算出する。ここで、パワー範囲Ｗは１０ｍＷから１５ｍＷであり、ＯＰＣ記録パワーＣは１２．５ｍＷであり、変化量ΔＰは１ｍＷであることから、調整手段７は、１０．５ｍＷ、１１．５ｍＷ、１２．５ｍＷ、１３．５ｍＷ、１４．５ｍＷの５つの記録パワーＰを算出する。光ピックアップ４は、１０．５ｍＷから１４．５ｍＷまで５回記録パワーＰを変化させてデータを記録する。
【００２２】
図３（ｂ）において、制御部８によってランニングＯＰＣ処理が実行されると、光ピックアップ４は、調整手段７が算出した５つの記録パワーＰでデータを記録し、記録したデータを再生する。データが再生されると、ジッター検出部６は、５つの記録パワーＰで記録されたデータについてジッターを検出する。調整手段７は、１０．５ｍＷから１４．５ｍＷまでの５つの記録パワーＰのうち、最もジッターが小さくなるデータを記録した記録パワーを基準記録パワーＳとして決定する。ここで、基準記録パワーＳは、１３．５ｍＷである。基準記録パワーＳが決定されると、光ピックアップ４は、基準記録パワーＳでデータを記録する。光ピックアップ４がデータを記録すると、制御部８は、データが記録されている位置においてランニングＯＰＣ処理を実行する。ランニングＯＰＣ処理が実行されると、調整手段７は、基準記録パワーＳを変換量ΔＰずつ増減させることにより、新たに基準記録パワーＳを決定する。これにより、ディスク装置１は、光ディスク２上のデータが記録される位置においてランニングＯＰＣが実行されることにより、常にデータが記録される位置において最適な記録パワーＰである基準記録パワーＳでデータを記録することが可能となる。
【００２３】
次に、ディスク装置１が光ディスク２にデータを記録する記録処理について説明する。図４は、ディスク装置１におけるデータの記録処理の処理フローを示す。制御部８は、光ピックアップ４によってデータが記録される前に、光ディスク２に適した記録パワーＰを取得するためＯＰＣ処理を実行する（Ｓ１）。制御部８によってＯＰＣ処理が実行されると、パワー範囲検出手段１０は、良好に再生されるデータを記録することができる記録パワーＰの範囲をパワー範囲Ｗとして検出する（Ｓ２）。続いて、パワー範囲検出手段１０は、最大記録パワーＢと最小記録パワーＡとの差を、例えば、５等分した値を変化量ΔＰとして算出する（Ｓ３）。
【００２４】
調整手段７は、パワー範囲Ｗ内であって、最もジッターが小さくなるテストデータを記録する記録パワーＰをＯＰＣ記録パワーＣとして決定する（Ｓ４）。光ピックアップ４は、決定されたＯＰＣ記録パワーＣでデータを光ピックアップ４に記録する（Ｓ５）。制御部８は、光ピックアップ４にデータを所定量記録させると、データの記録を中断させて記録したデータを再生させることによりランニングＯＰＣ処理を実行する（Ｓ６）。制御部８によってランニングＯＰＣ処理が実行されると、調整手段７は、パワー範囲Ｗ内でＯＰＣ記録パワーＣを段階的に変化量ΔＰずつ増減させて、ランニングＯＰＣ処理において光ピックアップ４が照射する記録パワーＰを複数算出する（Ｓ７）。光ピックアップ４は、調整手段７によって算出された複数の記録パワーＰでデータを記録し、記録したデータを再生する（Ｓ８）。データが再生されると、ジッター検出部６は、複数の記録パワーＰで記録されたデータについてジッターを検出し、記憶部９は、検出されたジッターと複数の記録パワーＰとを関連付けて記憶する（Ｓ９）。
【００２５】
調整手段７は、記憶部９に記憶されている最も値の小さいジッターと関連付けて記憶されている記録パワーＰを基準記録パワーＳとして決定する（Ｓ１０）。光ピックアップ４は、調整手段７によって決定された基準記録パワーＳでデータを記録する（Ｓ１１）。制御部８は、光ピックアップ４がデータを全て記録し終えるまで（Ｓ１２でＮｏ）、ステップＳ６からステップＳ１２までの処理を繰り返す。一方、ステップＳ１２において、光ピックアップ４がデータを全て記録し終えると（Ｓ１２でＹｅｓ）、ディスク装置１は、データの記録処理を終了する。
【００２６】
このように、本実施形態においては、光ピックアップ４がデータを記録する前に、制御部８によってＯＰＣ処理が実行されると、パワー範囲検出手段１０は、ジッターに基づいて良好に再生されるデータを記録することができる記録パワーＰのパワー範囲Ｗを検出する。光ピックアップ４がデータの記録を開始し、制御部８によってランニングＯＰＣ処理が実行されると、調整手段７は、パワー範囲Ｗとジッター検出部６によって検出されたジッターに基づいて基準記録パワーＳを決定する。ディスク装置１は、光ピックアップ４に調整手段７が決定した基準記録パワーＳでデータを記録させることによって、光ディスク２の種類やデータが記録される位置における記録特性に関わらず、スムーズに再生されるデータを記録することができる。
【００２７】
なお、本発明は、上記実施形態の構成に限られず、種々の変形が可能であり、例えば、
ディスク装置１は、制御部８が記憶部９を備える構成ではなく、制御部８とは別に記憶部９を備える構成であっても構わない。また、パワー範囲検出手段１０は、変化量ΔＰを５等分する構成でなく、変化量ΔＰを６等分または７等分する構成であっても構わない。
【図面の簡単な説明】
【００２８】
【図１】本発明の実施形態に係るディスク装置の概略を示す構成図。
【図２】本実施形態に係るＯＰＣ処理における記録パワーの変化とジッターとの関係を示す図。
【図３】（ａ）（ｂ）は本実施形態に係るランニングＯＰＣ処理における記録パワーの変化を示す図。
【図４】本実施形態に係るデータ記録処理フローチャート。
【符号の説明】
【００２９】
１  ディスク装置
２  光ディスク
４  光ピックアップ（記録再生部）
５  ＲＦ信号検出部
６  ジッター検出部
７  調整手段
８  制御部
９  記憶部
１０  パワー範囲検出手段
【図１】
2008300024.tif 000003
【図２】
2008300024.tif 000004
【図３】
2008300024.tif 000005
【図４】
2008300024.tif 000006